(57)【要約】【課題】  零れ防止板を遊技者の要望に応じて着脱できるようにして、遊技性を高める。【解決手段】  遊技機１１は、発射された遊技球を受け入れる入賞口を有する遊技盤３１を開閉自在に覆う前面板２２と、前面板２２の下方に位置して払い出された遊技球を受け止める受け皿３５と、前面板２２の下部２２ａに対向する受け皿３５に位置する支持部４４に支持されて受け皿３５上を覆う零れ防止板４１と、を備え、支持部４４が、前面板２２が開かれた状態で受け皿３５に対する零れ防止板４１の着脱を許容するようになっている。【選択図】      図２
2005230108.tif 000002
【特許請求の範囲】
【請求項１】
発射された遊技球を受け入れる入賞口を有する遊技盤を開閉自在に覆う前面板と、
前記前面板の下方に位置して払い出された遊技球を受け止める受け皿と、
前記前面板の下部に対向する前記受け皿に位置する支持部に支持されて前記受け皿を覆う零れ防止板と、を備え、
前記支持部が、前記前面板が開かれた状態で前記受け皿に対する前記零れ防止板の着脱を許容するようになっていることを特徴とする遊技機。
【請求項２】
前記支持部が、前記受け皿と前記零れ防止板とのいずれか一方に設けられた被係合部と、前記被係合部に対して係脱自在な他方に設けられた係合部とを有していることを特徴とする請求項１に記載の遊技機。
【請求項３】
前記受け皿が、前記入賞口に遊技球が入賞したことに基づいて賞球としての遊技球を受け入れる賞球受け入れ口を備え、
前記零れ防止板は、前記賞球受け入れ口側に設けたことを特徴とする請求項１又は２に記載の遊技機。
【請求項４】
前記支持部が、前記零れ防止板を回転自在に支持する回転中心部であることを特徴とする請求項１ないし３のいずれか１項に記載の遊技機。
【請求項５】
前記回転中心部が、前記前面板の開閉端側に位置していることを特徴とする請求項４に記載の遊技機。
【請求項６】
前記零れ防止板が、前記受け皿の一部分を覆うことを特徴とする請求項１ないし５のいずれか１項に記載の遊技機。
【発明の詳細な説明】
【技術分野】
【０００１】
本発明は、遊技球を受ける受け皿から遊技球を飛び出しにくくした零れ防止板を備えた遊技機に関する。
【背景技術】
【０００２】
従来、遊技機（例えば、パチンコ機）は、遊技盤に設けた入賞口に遊技球（例えば、パチンコ球）が入賞しとき、遊技球を受ける受け皿に連通された賞球受け入れ口としての賞球排出口から賞球（遊技球）を払い出して、遊技球を受け皿で蓄えるようになっている。しかし、受け皿が空のとき払い出された遊技球は、払い出された勢いそのままの勢いで、受け皿の手前側（遊技者側）の側壁に当たって、その側壁を飛び越え、受け皿から飛び出すことがあった。また、受け皿が遊技球によって満杯のときの遊技球は、受け皿から零れ落ちることがあった。
【０００３】
そこで、受け皿の一部分を開閉自在な零れ防止板で蓋をして、遊技球が飛び出ないようにした遊技機がある（例えば、特許文献１参照）。
【０００４】
【特許文献１】特開２００３−５２９８７号公報
【発明の開示】
【発明が解決しようとする課題】
【０００５】
ところで、零れ防止板は、遊技場や遊技者によっては使用されないことがあり、着脱自在になっている方が好ましい。
【０００６】
しかし、従来の遊技機における零れ防止板は、受け皿に取り付けられたままになっている。このため、零れ防止板を使用しない遊技者にとっては、零れ防止板が邪魔になり、遊技性を損なわされていた。
【０００７】
本発明は、零れ防止板を遊技者の要望に応じて着脱できるようにして、遊技者に応じて遊技性を高めることができるようにした遊技機を提供することを目的としている。
【課題を解決するための手段】
【０００８】
請求項１に係る発明は、発射された遊技球を受け入れる入賞口を有する遊技盤（３１）を開閉自在に覆う前面板（２２）と、前記前面板（２２）の下方に位置して払い出された遊技球を受け止める受け皿（３５，１３５）と、前記前面板（２２）の下部（２２ａ）に対向する前記受け皿（３５，１３５）に位置する支持部（４４，１４４）に支持されて前記受け皿（３５，１３５）を覆う零れ防止板（４１）と、を備え、前記支持部（４４，１４４）が、前記前面板（２２）が開かれた状態で前記受け皿（３５，１３５）に対する前記零れ防止板（４１）の着脱を許容するようになっている遊技機（１１）である。
【０００９】
請求項２に係る発明は、前記支持部（４４，１４４）が、前記受け皿（３５，１３５）と前記零れ防止板（４１）とのいずれか一方に設けられた被係合部（４２）と、前記被係合部（４２）に対して係脱自在な他方に設けられた係合部（４３）とを有していることを特徴とする請求項１に記載の遊技機（１１）である。
【００１０】
請求項３に係る発明は、前記受け皿が、前記入賞口に遊技球が入賞したことに基づいて賞球としての遊技球を受け入れる賞球受け入れ口（３６）を備え、前記零れ防止板（４１）は、前記賞球受け入れ口（３６）側に設けたことを特徴とする請求項１又は２に記載の遊技機である。
【００１１】
請求項４に係る発明は、前記支持部が、前記零れ防止板を回転自在に支持する回転中心部であることをことを特徴とする請求項１ないし３のいずれか１項に記載の遊技機である。
【００１２】
請求項５に係る発明は、前記回転中心部（４４，１４４）が、前記前面板（２２）の開閉端（２２ｂ）側に位置していることを特徴とする請求項４に記載の遊技機（１１）である。
【００１３】
請求項６に係る発明は、前記零れ防止板（４１）が、前記受け皿（３５，１３５）の一部分を覆うことを特徴とする請求項１ないし５のいずれか１項に記載の遊技機（１１）である。
【００１４】
なお、括弧内の符号は、便宜的に、図面と対照し易くするために付したものであって、本発明の構成をなんら限定するものではない。
【発明の効果】
【００１５】
請求項１に係る遊技機は、前面板を開いた状態で零れ防止板を受け皿に対して着脱できるようにしてあるので、遊技者の要望に応じて零れ防止板を簡単、かつ速やかに着脱することができて、遊技者にあわせて遊技性を向上させることができる。
【００１６】
また、請求項１に係る遊技機は、前面板を開かなければ受け皿から零れ防止板を取り外すことができない構造であるため、前面板を開閉することのできない遊技者によって、零れ防止板を取り外されて持ち去られることを防止することができる。
【００１７】
請求項２に係る遊技機は、被係合部に対して係合部を着脱できるようになっているので、零れ防止板を簡単、かつ速やかに着脱することができる。
【００１８】
請求項３に係る遊技機は、零れ防止板を賞球受け入れ口側に設けてあるので、賞球受け入れ口から排出される遊技球が零れ防止板によって飛び出したり、零れたりするのを容易に防止することができる。
【００１９】
請求項４に係る遊技機は、支持部が、零れ防止板を回転自在に支持する回転中心部であるので、零れ防止板を回転させて受け皿の上部を開放したり閉じたりすることができて、零れ防止板を受け皿に設けたままで、受け皿に遊技球を供給することができる。
【００２０】
請求項５に係る遊技機は、零れ防止板の回転中心部を前面板の開閉端側に配置してあるので、前面板を全開することなく、零れ防止板を簡単、かつ速やかに着脱することができる。
【００２１】
請求項６に係る遊技機は、零れ防止板が受け皿の一部分を覆うようになっているので、零れ防止板を開くことなく、零れ防止板が受け皿を覆っていない部分から球技球を受け皿に容易に供給することができる。
【発明を実施するための最良の形態】
【００２２】
以下、本発明の実施形態の遊技機を図に基づいて説明する。
【００２３】
図１は、本発明の実施形態における遊技機の概略正面図である。図２は、図１の遊技機の前面板としてのガラス枠を開いたときの遊技機の外観斜視図である。図３は、零れ防止板の取り付け構造を説明するための零れ防止板と受け皿との概略斜視図である。
【００２４】
遊技機（例えば、パチンコ機）１１は、筐体１２と、前枠１３等を備えている。前枠１３は、遊技盤枠２１と、ガラス枠２２と、皿ユニット２３等で構成されている。
【００２５】
遊技盤枠２１は、筐体１２に開閉自在に設けられて遊技盤３１を有している。遊技盤３１は、発射された遊技球（例えば、パチンコ球）を受け入れる複数の入賞口４６を有している。ガラス枠２２は、筐体１２に開閉自在に設けられている。皿ユニット２３は、ガラス枠２２の下方で筐体１２に回転自在に設けられて遊技盤枠２１の下部部分を開閉するようになっている。
【００２６】
ガラス枠２２には、左スピーカ３３、右スピーカ３４、遊技盤３１を覆うガラス３２等が設けられている。皿ユニット２３は、遊技球を発射させるハンドル３７と、遊技球を溜めておく受け皿３５等で形成されている。受け皿３５には、遊技盤枠２１側から払い出される賞球を受け入れる入り口としての払い出し受け入れ口３６と、遊技球を排出する排出口３８等を形成してある。排出口３８は、蓋３９によって開閉されるようになっている。
【００２７】
受け皿３５は、零れ防止板４１によって一部分が覆われるようになっている。零れ防止板４１は、図３（ｂ）に示すように、支持部である回転中心部４４を中心にして、遊技者の手前側に回転するようになっている。回転中心部４４は、図３（ａ）に示すように、ガラス枠２２の下部２２ａに対向する受け皿３５の奥側上部３５ａに形成してある被係合部としての回転中心孔４２と、零れ防止板４１の角部に下向きに突設されて回転中心孔４２に挿入抜き取り自在な係合部としての回転中心軸４３とで構成されている。回転中心孔４２と回転中心軸４３とは、上下方向を向いている。零れ防止板４１の手前側には、零れ防止板４１を遊技者の手前側に引き出すためのつまみ４５を上向きに突設してある。なお、受け皿３５に回転中心軸を設け、零れ防止板に回転中心孔を形成してもよい。
【００２８】
零れ防止板４１の回転中心部は、受け皿３５の奥側上部に設けてあるが、図４に示す支持部としての回転中心部１４４のように、受け皿１３５の上下方向の中間部に形成してもよい。この回転中心部１４４の被係合部としての回転中心孔１４２を受け皿１３５の上下方向の中間部に形成し、この回転中心孔１４２に係合部としての長さの長い回転中心軸４３を挿入するようになっている。
【００２９】
零れ防止板４１は、図２に示すように、開かれたガラス枠２２によって、回転中心孔４２を目視できるようになってから回転中心孔４２に挿入することによって、受け皿３５に回転自在に設けられる。その後、ガラス枠２２を閉じると、図３（ｂ）に示すように、零れ防止板４１の回転中心軸４３を設けてある部分が、ガラス枠２２の下部２２ａに覆われて、ガラス枠２２の下部２２ａと受け皿３５の奥側上部３５ａとの間の隙間Ｓに入り込んだ状態になる。このため、零れ防止板４１を受け皿３５から外そうとしても、ガラス枠２２が上側にあるので外すことができない。すなわち、回転中心部４４が、ガラス枠２２の下部２２ａと受け皿３５の奥側上部３５ａとの間の隙間Ｓに入り込んでいる状態になり、回転中心軸４３は回転中心孔４２から抜けないようになっている。このため、零れ防止板４１は、ガラス枠２２を開閉できる遊技場の店員以外の人、例えば遊技者が勝手に取り外して持ち去ることができないようになっている。
【００３０】
零れ防止板４１は、図３（ｂ）において破線で示す位置にあるとき、奥側部４１ａがガラス枠２２の下部２２ａと受け皿３５の奥側上部３５ａとの間の隙間Ｓに入り込んで、受け皿３５の一部分を残して受け皿３５を覆い、賞球受け入れ口としての払い出し受け入れ口３６から受け入れた遊技球が飛び出ないようにしている。また、この状態の零れ防止板４１は、受け皿３５に遊技球が一杯になったとき、受け皿３５から遊技球が零れないようにしている。
【００３１】
零れ防止板４１は、図３（ｂ）の実線で示すように、遊技者がつまみ４５をつまんで手前側に引くと、回転中心部４４を中心にして手前側に回転して、受け皿３５の上部を開放するようになっているので、受け皿３５に設けられたままで、受け皿３５に対する遊技球の供給を許容することができる。
【００３２】
零れ防止板４１は、図２に示すように、ガラス枠２２を開いて、回転中心部４４の上を開放すると、工具を使用することなく、簡単に取り外すことができる。
【００３３】
なお、零れ防止板４１は、受け皿３５内の遊技球の溜まり状態を受け皿３５を閉じたままで目視できるように、透過性の樹脂製板であることが好ましい。
【００３４】
また、零れ防止板４１は、ジュース、コーヒ等の飲料水が入った缶や、たばこ等を置くこことができて、ステージとしても使用することができる。
【００３５】
さらに、以上説明した、回転中心部４４は、ガラス枠２２の開閉端側にあるが、ガラス枠２２の回転中心側にあってもよい。ただし、ガラス枠２２の開閉端側にあった方が、零れ防止板４１の着脱が容易である。
【００３６】
また、回転中心部４４は、零れ防止板４１が回転できるように支持しているが、必ずしも回転できるように支持する必要がなく、ただ単に支持する支持部であってもよい。ただし、この場合においても、ガラス枠２２を開いたとき、零れ防止板４１が着脱できるようになっている必要がある。また、ただ単に支持する支持部である場合の支持部は、１つだけでなく、複数設けてあってもよい。
【００３７】
以上説明したように、本実施形態の遊技機１１は、ガラス枠２２を開閉するだけで、零れ防止板４１の装着、取り外しを行えるようになっているので、零れ防止板４１を遊技者の要望に応じて簡単に着脱することができて、遊技者に合わせて遊技性を高めることができる。
【００３８】
また、零れ防止板４１は、ガラス枠２２を開かなければ受け皿３５から取り外すことができないので、ガラス枠２２を開閉することのできない遊技者によって、取り外されて持ち去られることがない。
【００３９】
さらに、本実施形態の遊技機１１は、零れ防止板４１の回転中心部４４をガラス枠２２の開閉端２２ｂ側に設けてあるので、ガラス枠２２を全開することなく、零れ防止板４１を簡単に着脱することできるようになっている。
【００４０】
また、本実施形態の遊技機１１は、零れ防止板４１が受け皿３５の一部分を覆うようになっているので、零れ防止板４１を開くことなく、零れ防止板４１が受け皿３５を覆っていない部分から球技球を受け皿３５に容易に供給することができる。
【図面の簡単な説明】
【００４１】
【図１】本発明の実施形態における遊技機の概略正面図である。
【図２】図１の遊技機の前面板としてのガラス枠を開いたときの遊技機の外観斜視図である。
【図３】零れ防止板の取り付け構造を説明するための零れ防止板と受け皿との斜視図である。（ａ）零れ防止板を受け皿に装着するときの図である。（ｂ）受け皿に装着された零れ防止板を回転させて、受け皿を開閉するときの状態図である。
【図４】零れ防止板の他の実施形態の取り付け構造を説明するための零れ防止板と受け皿との斜視図である。（ａ）零れ防止板を受け皿に装着するときの図である。（ｂ）受け皿に装着された零れ防止板を回転させて、受け皿を開閉するときの状態図である。
【符号の説明】
【００４２】
１１      遊技機
１２      筐体
１３      前枠
２１      遊技盤枠
２２      ガラス枠（前面板）
２２ａ    下部
２２ｂ    開閉端
２３      皿ユニット
３１      遊技盤
３５      受け皿
３５ａ    奥側上部
３６      払い出し受け入れ口（賞球受け入れ口）
４１      零れ防止板
４１ａ    奥側部
４２      回転中心孔（被係合部）
４３      回転中心軸（係合部）
４４      回転中心部（支持部）
１３５      受け皿
１４２      回転中心孔（被係合部）
１４３      回転中心軸（係合部）
１４４      回転中心部（支持部）
【図１】
2005230108.tif 000003
【図２】
2005230108.tif 000004
【図３】
2005230108.tif 000005
【図４】
2005230108.tif 000006